(57)【要約】【課題】  外気圧とユニット内部との圧力差を緩和する圧力等価用開口部を有する可変指向性コンデンサマイクロホンにおいて、圧力等価用開口部を寸法精度よく量産的に形成できるようにする。【解決手段】  振動板と固定極とを電気絶縁性のスペーサリングを介して対向的に配置してなる一対のコンデンサエレメントを支持基板を挟んでそれら固定極同士を対面させて組み合わせてなる可変指向性コンデンサマイクロホンにおいて、プリント配線基板１６０を用いて、その片面に固定極１４０を銅箔パターンとして形成するとともに、固定極１４０の周りでスペーサリングと接する部分に、一部に切欠き状の圧力等価用開口部１４３を有する銅箔パターンよりなるダミー電極１４２を形成する。【選択図】  図３
2006060372.tif 000002
【特許請求の範囲】
【請求項１】
振動板ホルダに張設された振動板と複数の音連通孔を有する固定極とを電気絶縁性のスペーサリングを介して対向的に配置してなる一対のコンデンサエレメントを含み、上記各コンデンサエレメントを支持基板を挟んでそれら固定極同士を対面させて組み合わせてなる可変指向性コンデンサマイクロホンにおいて、
上記固定極がプリント配線基板上に銅箔パターンとして形成されているとともに、上記固定極の周りで上記スペーサリングと接する部分に、一部に切欠き状の圧力等価用開口部を有する銅箔パターンよりなるダミー電極が形成されていることを特徴とする可変指向性コンデンサマイクロホン。
【請求項２】
上記圧力等価用開口部の間を通して上記固定極の電極端子部が引き出されていることを特徴とする請求項１に記載の可変指向性コンデンサマイクロホン。
【発明の詳細な説明】
【技術分野】
【０００１】
本発明は、一対のコンデンサエレメントを含む可変指向性コンデンサマイクロホンに関し、さらに詳しく言えば、外気圧とユニット内部の圧力差を緩和する圧力等価用の開口部を有する可変指向性コンデンサマイクロホンに関するものである。
【背景技術】
【０００２】
図５に示すように、可変指向性コンデンサマイクロホンは、基本的な構成として、一対のコンデンサエレメント１０Ｌ，１０Ｒとを備えている。コンデンサエレメント１０Ｌ，１０Ｒはともに同一の構成であるため、ここでは左側のコンデンサエレメント１０Ｌについて説明し、これに対応する右側のコンデンサエレメント１０Ｒの構成要素についてはその参照符号を括弧内に記す。
【０００３】
この例において、コンデンサエレメント１０Ｌ（１０Ｒ）は、複数の音響端子孔１２ａＬ（１２ａＲ）が穿設されているとともに、中央部に信号引き出し電極ロッド１２ｂＬ（１２ｂＲ）を有するほぼ蓋状に形成された振動板ホルダ１２Ｌ（１２Ｒ）を備え、この振動板ホルダ１２Ｌ（１２Ｒ）の内側に振動板１１Ｌ（１１Ｒ）が所定の張力をもって張設されている。なお、振動板１１Ｌ（１１Ｒ）には金属蒸着膜を有する高分子フィルムが用いられる。
【０００４】
振動板１１Ｌ（１１Ｒ）には図示省略の電気絶縁性スペーサリングを介して固定極１３Ｌ（１３Ｒ）が対向的に配置されている。図５には一つしか示されていないが、固定極１３Ｌ（１３Ｒ）には多数の音連通孔１３ａＬ（１３ａＲ）が穿設されている。固定極１３Ｌ（１３Ｒ）は中央に大きな音連通孔１４ａＬ（１４ａＲ）を有する円盤状の電極支持体１４Ｌ（１４Ｒ）によって支持されており、電極支持体１４Ｌ（１４Ｒ）と振動板ホルダ１２Ｌ（１２Ｒ）とが締結リング１５Ｌ（１５Ｒ）により締め付け固定されている。
【０００５】
このように構成されたコンデンサエレメント１０Ｌ，１０Ｒは互いに背中合わせとして組み合わされる。すなわち、電極支持体１４Ｌ，１４Ｒの音連通孔１４ａＬ，１４ａＲの間に例えばフェルト材からなる音響抵抗材２１を配置するとともに、その周りにガスケット材２２を配置して、電極支持体１４Ｌ，１４Ｒ同士を向かい合わせにしてそれらをカプラーリング２３にて連結することにより組み立てられる。
【０００６】
この可変指向性コンデンサマイクロホンにおいては、一方の振動板に加えられた音圧の一部が音連通孔１３ａＬ，１３ａＲ，１４ａＬ，１４ａＲおよび音響抵抗材２１を介して他方の振動板の裏面側に伝えられ、各固定極１３Ｌ，１３Ｒに対する成極電圧を相対的に変化させることにより、指向性を例えば単一指向性，無指向性，両指向性などに適宜選択することができる。
【０００７】
ところで、振動板１１Ｌ，１１Ｒは高分子フィルムからなり空気を通さないため、ユニットの内部はほぼ密閉状態となる。したがって、外気圧とユニット内部との圧力差で振動板１１Ｌ，１１Ｒが変位し感度低下をきたすことがある。この点を解決するため、特許文献１においては、振動板に微細な孔を開けて外気圧とユニット内部との圧力差を緩和するようにしている。この微細な孔は圧力等価用開口部と呼ばれている。
【０００８】
【特許文献１】特開平９−８４１９５号公報
【発明の開示】
【発明が解決しようとする課題】
【０００９】
振動板に圧力等価用開口部を形成するにあたって、従来では火花放電や針刺しを適用している。しかしながら、圧力等価用開口部を介して収音する音域の音波が通過すると指向周波数応答が劣化するため、圧力等価用開口部は収音する音波に対して十分低い周波数のみが通過するように形成されなければならない。
【００１０】
したがって、圧力等価用開口部の孔開けには高度の熟練した技術を必要とし、生産性を思うように向上することができない。また、振動板の孔開け不良はリペアすることができないため、歩留まりの点でも問題があった。
【００１１】
したがって、本発明は、外気圧とユニット内部との圧力差を緩和する圧力等価用開口部を有する可変指向性コンデンサマイクロホンにおいて、圧力等価用開口部を寸法精度よく量産的に形成できるようにすることにある。
【課題を解決するための手段】
【００１２】
上記課題を解決するため、請求項１に記載の発明は、振動板ホルダに張設された振動板と複数の音連通孔を有する固定極とを電気絶縁性のスペーサリングを介して対向的に配置してなる一対のコンデンサエレメントを含み、上記各コンデンサエレメントを支持基板を挟んでそれら固定極同士を対面させて組み合わせてなる可変指向性コンデンサマイクロホンにおいて、上記固定極がプリント配線基板上に銅箔パターンとして形成されているとともに、上記固定極の周りで上記スペーサリングと接する部分に、一部に切欠き状の圧力等価用開口部を有する銅箔パターンよりなるダミー電極が形成されていることを特徴としている。
【００１３】
請求項２に記載の発明は、上記請求項１において、上記圧力等価用開口部の間を通して上記固定極の電極端子部が引き出されていることを特徴としている。
【発明の効果】
【００１４】
請求項１に記載の発明によれば、圧力等価用開口部をプリント配線基板上において銅箔パターンによって形成するようにしたことにより、寸法精度（寸法の再現性）が良好で、かつ品質の揃った圧力等価用開口部を量産することができる。
【００１５】
また、請求項２に記載の発明によれば、圧力等価用開口部の間を通して固定極の電極端子部を引き出すようにしたことにより、電極ロッドなどの信号引き出し部品を不要とすることができ、より一層のコストダウンが図れる。
【発明を実施するための最良の形態】
【００１６】
次に、図１ないし図４により本発明の実施形態について説明するが、本発明はこれに限定されるものではない。図１は本発明による可変指向性コンデンサマイクロホンの一例を示す正面図，図２はその内部構造を分解して示す断面図，図３は固定極を示す平面図，図４は本発明の要部を抽出して示す模式的な斜視図である。
【００１７】
まず、図１および図２を参照して、この可変指向性コンデンサマイクロホンは、左右一対のコンデンサエレメント１００Ｌ，１００Ｒを備え、この例において、一方のコンデンサエレメント１００Ｌは支持基板２００の左側の支持面に配置され、他方のコンデンサエレメント１００Ｒは支持基板２００の右側の支持面に配置される。支持基板２００の各支持面にはエレメント収納凹部２１０が形成されている。この支持基板２００は図５の従来例における電極支持体１４Ｌ，１４Ｒに相当している。
【００１８】
コンデンサエレメント１００Ｌ，１００Ｒは同一構成で、ともに振動板１１０，振動板ホルダとしてのダイアフラムリング１２０，電気絶縁性のスペーサリング１３０，固定極１４０およびカバープレート１５０を備えている。
【００１９】
振動板１１０には例えば金属蒸着膜を有する高分子フィルムが用いられてよい。振動板１１０は所定の張力が付与された状態でダイアフラムリング１２０に適当な接着材を介して張設される。振動板１１０はスペーサリング１３０を介して固定極１４０と対向した状態で支持基板２００のエレメント収納凹部２１０内に配置され、その上からカバープレート１５０が被せられる。
【００２０】
固定極１４０には多数の音連通孔１４１が穿設されている。支持基板２００の各エレメント収納凹部２１０は、それらの間に所定容積の音響空間を形成するため板厚の薄い仕切壁２２０によって仕切られているが、仕切壁２２０には両コンデンサエレメント１００Ｌ，１００Ｒ間を連通する音連通孔２２１が穿設されている。カバープレート１５０には複数の音響端子孔１５１が穿設されている。
【００２１】
カバープレート１５０は支持基板２００に対する固定フランジ１５２をこの例では４個所に備え、固定フランジ１５２を支持基板２００にねじ止めすることにより、各コンデンサエレメント１００Ｌ，１００Ｒがそれぞれ支持基板２００のエレメント収納凹部２１０内にほぼ密閉した状態で配置される。なお、ダイアフラムリング１２０とカバープレート１５０は一体であってもよく、これらは図５の従来例における振動板ホルダ１２Ｌ，１２Ｒに相当している。
【００２２】
図３に示すように、本発明において、固定極１４０は銅張り積層板からなるプリント配線基板１６０の片面に銅箔パターンにより形成されており、音連通孔１４１はプリント配線基板１６０に対する貫通孔として穿設されている。
【００２３】
図４を併せて参照して、プリント配線基板１６０には、固定極１４０の周りでスペーサリング１３０と接触する部分に銅箔パターンよりなるダミー電極１４２が一部分に切欠きを有してほぼ環状に形成されている。この切欠き部分が、外気圧とユニット内部との圧力差を緩和する圧力等価用開口部１４３として用いられる。
【００２４】
圧力等価用開口部１４３の容積は、銅箔パターンの厚さと切欠き幅とにより決められるが、銅箔パターンの厚さは銅箔のめっき時に任意に設定でき、また、切欠き幅はきわめて高精度にパターニングし得るため、寸法の再現性が良好で品質の揃った圧力等価用開口部１４３を得ることができる。
【００２５】
また、ダミー電極１４２の一部分に圧力等価用開口部１４３が形成されていることにより、プリント配線基板１６０の一部分に舌片１６１を連設し、この舌片１６１に圧力等価用開口部１４３の間を通して固定極１４０の電極端子部１４４を引き出すこともできる。
【００２６】
この舌片１６１は、図１および図２に示すように、エレメント収納凹部２１０に連なる溝２１１内に配置される。よって、各コンデンサエレメント１００Ｌ，１００Ｒから信号を取り出すには図示しないリード線を電極端子部１４４にハンダ付けするだけでよく、図５の従来例における信号引き出し電極ロッド１２ａＬ，１２ａＲなどの信号引き出し部品を不要とすることができる。
【図面の簡単な説明】
【００２７】
【図１】本発明による可変指向性コンデンサマイクロホンの一例を示す正面図。
【図２】上記可変指向性コンデンサマイクロホンの内部構造を示す分解断面図。
【図３】本発明が備える固定極の一例を示す平面図。
【図４】本発明の要部を抽出して示す模式的な斜視図。
【図５】従来の可変指向性コンデンサマイクロホンを示す断面図。
【符号の説明】
【００２８】
１００Ｌ，１００Ｒ  コンデンサエレメント
１１０  振動板
１２０  ダイアフラムリング
１３０  スペーサリング
１４０  固定極
１４２  ダミー電極
１４３  圧力等価用開口部
１４４  電極端子部
１５０  カバープレート
１６０  プリント配線基板
１６１  舌片
２００  支持基板
２１０  エレメント収納凹部
【図１】
2006060372.tif 000003
【図２】
2006060372.tif 000004
【図３】
2006060372.tif 000005
【図４】
2006060372.tif 000006
【図５】
2006060372.tif 000007